(57)【要約】      （修正有）【課題】地震等の揺れに対して墓石の倒壊を防ぐ和墓の耐震構造を提供する。【解決手段】角柱型の和墓等において、上台石（蓮華石）と下台石及び納骨室上部の天板の中央部に、上下に貫通した孔を穿ち、最上部の拝石には下端より上に向けて適宜の深さの孔を穿つと共に、当該孔の底部、即ち拝石側にフックを取付け、フックには錘吊下棒を係止し、錘吊下棒は前記上台石（蓮華石）と下台石及び納骨室上部の天板の中央部に穿った孔を通して下端は納骨室の下部に至り、当該下端には重錘を取付け、重錘は錘吊下棒を介して揺動自在に構成してなる和墓の耐震構造であり、更には、和墓内部に拝石から吊下した揺動自在の重錘を取り付けると共に、拝石と上台石（蓮華石）、上台石（蓮華石）と下台石、下台石と天板、天板と納骨室は夫々がピンで固定されていることを特徴とした和墓の耐震構造を呈せんとするものである。【選択図】図１
0003143079.tif 000002
【実用新案登録請求の範囲】
【請求項１】
角柱型の和墓等において、上台石（蓮華石）と下台石及び納骨室上部の天板の中央部に、上下に貫通した孔を穿ち、最上部の拝石には下端より上に向けて適宜の深さの孔を穿つと共に、当該孔の底部、即ち拝石側にフックを取付け、フックには錘吊下棒を係止し、錘吊下棒は前記上台石（蓮華石）と下台石及び納骨室上部の天板の中央部に穿った孔を通して下端は納骨室の下部に至り、当該下端には重錘を取付け、重錘は錘吊下棒を介して揺動自在に構成してなる和墓の耐震構造。
【請求項２】
和墓内部に拝石から吊下した揺動自在の重錘を取り付けると共に、拝石と上台石（蓮華石）、上台石（蓮華石）と下台石、下台石と天板、天板と納骨室は夫々がピンで固定されていることを特徴とした請求項１の和墓の耐震構造。
【考案の詳細な説明】
【技術分野】
【０００１】  本考案は、国内においては基本的な墓石の構成で、全国の霊園、墓地に建立されている和墓の改良に関するものである。
【背景技術】
【０００２】  和墓は国内においては基本的な墓石の構成で、全国の霊園、墓地に建立されている。しかし、従来の和墓は敷石の上に納骨室、納骨室の上に天板、天板の上に下台石、下台石の上に上台石（蓮華石）、上台石（蓮華石）の上に拝石と順次に積重されていた。このような構造であるがために大きい地震等によっては倒壊したり、倒壊までは至らなくとも拝石とか上台石（蓮華石）が落下するというような事例が多々あったのである。【０００３】  このような問題を解決せんとして、納骨室と天板、天板と下台石、下台石と上台石、上台石と拝石というように夫々をピンで固定したり、また中央に芯棒を入れたりする構造、または墓石の下に緩衝構造を設ける等の構造が発表されているが、墓石夫々をピンで固定したり、また中央に芯棒を入れたものにあっては、軽度の地震には耐えられるものの、大きい地震の際には、和墓そのものが一個の物体として倒壊する恐れがあった。また、墓石の下に緩衝構造を設ける等の構造にあっては、基礎工事が大掛かりとなることから費用も嵩み、更に周囲にすでに建立されている墓石がある場合には工事そのものが難事であり問題となっていた。
【考案の開示】
【考案が解決しようとする課題】
【０００４】  地震等の揺れに対して墓石の倒壊を防ぐ構造を開発することが、考案が解決しようとする課題である。
【課題を解決するための手段】
【０００５】  本考案は、ピンとか芯棒により墓石全体を１個の物体として倒壊を防ごうとするのでなく、地震等の揺れを抑制する構造を開発することを課題を解決するための手段としている。
【考案の効果】
【０００６】  本考案は、角柱型の和墓等において、上台石（蓮華石）と下台石及び納骨室上部の天板の中央部に、上下に貫通した孔を穿ち、最上部の拝石には下端より上に向けて適宜の深さの孔を穿つと共に、当該孔の底部、即ち拝石側にフックを取付け、フックには錘吊下棒を係止し、錘吊下棒は前記上台石（蓮華石）と下台石及び納骨室上部の天板の中央部に穿った孔を通して下端は納骨室の下部に至り、当該下端には重錘を取付け、重錘は錘吊下棒を介して揺動自在に構成してなる和墓の耐震構造であり、更には、和墓内部に拝石から吊下した揺動自在の重錘を取り付けると共に、拝石と上台石（蓮華石）、上台石（蓮華石）と下台石、下台石と天板、天板と納骨室は夫々がピンで固定されていることを特徴とした請求項１の和墓の耐震構造であるから、従来の和墓が単に石材を積重している構造であったがために、地震等の揺れにより夫々の石材、即ち下台石の上の上台石（蓮華石）、上台石（蓮華石）の上の拝石等が横方向にずれてしまい、最後には落下するということであったが、本考案では最上部の内部から吊下され、更には下端部に重錘を取付けた錘吊下棒が墓石の揺れとは逆向きに動いて揺れを抑制している。また拝石と上台石、上台石と下台石、下台石と天板、天板と納骨室は夫々がピンで固定されているので各石間の横ずれもない、しかも重錘を吊下していることによって重心位置が下がる効果もあり、構造簡単にして極めて顕著なる効果を有するものである。
【考案を実施するための最良の形態】
【０００７】  本考案は、角柱型の和墓等において、上台石（蓮華石）と下台石及び納骨室上部の天板の中央部に、上下に貫通した孔を穿ち、最上部の拝石には下端より上に向けて適宜の深さの孔を穿つと共に、当該孔の底部、即ち拝石側にフックを取付け、フックには錘吊下棒を係止し、錘吊下棒は前記上台石（蓮華石）と下台石及び納骨室上部の天板の中央部に穿った孔を通して下端は納骨室の下部に至り、当該下端には重錘を取付け、重錘は錘吊下棒を介して揺動自在に構成してなる和墓の耐震構造であり、更には、和墓内部に拝石から吊下した揺動自在の重錘を取り付けると共に、拝石と上台石（蓮華石）、上台石（蓮華石）と下台石、下台石と天板、天板と納骨室は夫々がピンで固定されていることを特徴とした和墓の耐震構造を呈せんとするものである。
【実施例１】
【０００８】  和墓１の構成は、２の拝石、３の上台石（蓮華石）、４の下台石、５の天板、６の納骨室、７の敷石からなっている。【０００９】  上台石（蓮華石）３と下台石４及び納骨室６の上部の天板５の中央部には、上下に貫通した孔８を夫々穿っている。また拝石２には、下面から上方に向けて前期孔８と同じ径の孔９を穿っている。穴の深さは本実施例においては拝石２の縦方向長さの下面から約１／２の深さとしている。孔９の底には錘吊下棒１０を係着するためのフック１１を取付けており、当該フック１１に係着し、孔９及び孔８を通った錘吊下棒１０は納骨室６の下部まで至り、その下端部には、重錘１２を取付けている。【００１０】  拝石２と上台石（蓮華石）３、上台石（蓮華石）３と下台石４、下台石４と天板５、天板５と納骨室６は夫々がピンで固定されている。これは夫々の石の横ずれを防ぐ目的であり、大きな強度を必要とするものではない。【００１１】  納骨室６内に位置する重錘１２の上面には骨つぼ１３を載置するように構成している。【００１２】  本考案は和墓の耐震構造としているが、和墓と同じく石材を積重した構造、例えば五輪塔等の構造のものにも本考案は適用するものである。
【産業上の利用可能性】
【００１３】  角柱型の和墓１等において、上台石（蓮華石）３と下台石４及び納骨室６上部の天板５の中央部に、上下に貫通した孔８を穿ち、最上部の拝石２には下端より上に向けて適宜の深さの孔９を穿つと共に、当該孔９の底部、即ち拝石２側にフック１１を取付け、フック１１には錘吊下棒１０を係着し、錘吊下棒１０は前記上台石（蓮華石）３と下台石４及び納骨室６上部の天板５の中央部に穿った孔８を通して下端は納骨室６の下部に至り、当該下端には重錘１２を取付け、重錘１２は錘吊下棒１０を介して揺動自在に構成してなる和墓の耐震構造であり、更には、和墓１内部に拝石２から吊下した揺動自在の重錘１２を取り付けると共に、拝石２と上台石（蓮華石）３、上台石（蓮華石）３と下台石４、下台石４と天板５、天板５と納骨室６は夫々がピンで固定されていることを特徴とした和墓の耐震構造であるから、従来の和墓が単に石材を積重している構造であったがために、地震等の揺れにより夫々の石材、即ち下台石の上の上台石（蓮華石）、上台石（蓮華石）の上の拝石等が横方向にずれてしまい、最後には落下するということであったが、本考案では最上部の内部から吊下され、更には下端部に重錘１２を取付けた錘吊下棒１０が墓石の揺れとは逆向きに動いて揺れを抑制している。また拝石２と上台石（蓮華石）３、上台石（蓮華石）３と下台石４、下台石４と天板５、天板５と納骨室６は夫々がピンで固定されているので各石間の横ずれもない、しかも重錘１２を吊下していることによって重心位置が下がる効果もあり、構造も簡単にして抜群の耐震構造となり、しかも、既設の和墓に対しても対応が可能である等、産業上での利用可能性は極めて大きいものがある。
【図面の簡単な説明】
【００１４】
【図１】  本考案に係る和墓の一部断面した正面図である。
【符号の説明】
【００１５】１    和墓
２    拝石
３    上台石（蓮華石）
４    下台石
５    天板
６    納骨室
７    敷石
８    孔
９    拝石の孔
１０  錘吊下棒
１１  フック
１２  重錘
１３  骨つぼ
【図１】
0003143079.tif 000003